(57)【要約】【課題】マンション、一戸建て、ビル、工場等では、換気等のために、外部に接する開口部、即ち玄関ドアや窓を開けたままの状態に保つ場合がある。また、屋内に重要物品を保管しているような場合には、間仕切り的使用をして立入り侵入区域を設けたい場合がある。しかしながら、近年は凶悪犯罪が多発しており、上記にように外部に接する開口部等を開けたままにするのは不用心である。【解決手段】侵入防止スクリーン装置１は、丈夫な材料によって構成され且つ通気性のあるネット等の遮断部材３と、遮断部材３を開閉自在に支持する遮断部材支持手段２１と、ロックピン１７、シャフト３５等で構成され、遮断部材３を閉鎖状態にロックするロック手段と、遮断部材支持手段２１を室内に固定する固定手段４１等とを具備する。従って、玄関ドアの内側に該装置１を設置して動作させておけば、侵入防止効果が高いので安心して玄関ドアを開けて換気できる。【選択図】        図２
2005061009.tif 000002
【特許請求の範囲】
【請求項１】
丈夫な材料によって構成され、且つ通気性のある遮断部材と、前記遮断部材を開閉自在に支持する遮断部材支持手段と、前記遮断部材を閉鎖状態にロックするロック手段と、閉鎖状態の遮断部材が人の侵入を防止できるように前記遮断部材支持手段を室内に固定する固定手段とを具備することを特徴とする侵入防止スクリーン装置。
【請求項２】
請求項１に記載した侵入防止スクリーン装置において、ロック手段によって閉鎖状態にロックされた遮断部材を開こうとする力が加えられたことを検知する検知手段と、前記検知手段によって遮断部材を開こうとする力が加えられたことが検知されると当該検知結果を報知する報知手段とを具備したことを特徴とする侵入防止スクリーン装置。
【請求項３】
請求項１または２に記載した侵入防止スクリーン装置において、遮断部材は人が通り抜けることができない編み目の大きさのネットによって構成されていることを特徴とする侵入防止スクリーン装置。
【請求項４】
請求項１から３のいずれかに記載した侵入防止スクリーン装置において、遮断部材を構成する丈夫な材料は高機能繊維であることを特徴とする侵入防止スクリーン装置。
【発明の詳細な説明】
【技術分野】
【０００１】
本発明は、侵入防止スクリーン装置に係り、特にマンション、一戸建て、ビル、工場等やそれらの屋内の特定個所への不法侵入を防止するために、外部に接する開口部や屋内で間仕切りしたい個所に配置する侵入防止スクリーン装置に関するものである。
【背景技術】
【０００２】
マンション、一戸建て、ビル、工場等では、換気等のために、外部に接する開口部、即ち玄関ドアや窓を開けたままの状態に保つ場合がある。
特に、マンションによく見受けられるが、屋外に面した窓に対向する位置に玄関ドアがあるレイアウトとなっている場合には、窓を開けただけでは室内の空気が抜けない。このため、十分な換気を行おうとすれば、玄関ドアを開けたままの状態にしなくてはならない。そこで、玄関ドアを半開きの状態にして、玄関ドアの下端面と床との間にドアストッパを挟み込み、玄関ドアを開けたままの状態に保っておく家庭も多い。
窓の場合には鉄格子を設けることも考えられるが、その場合には常に窓を塞ぐことになり外観上等から好ましくない場合がある。
更に、屋内に重要物品を保管しているような場合には、換気を可能にした状態で間仕切り的使用をすることで立入り禁止区域を設けたい場合がある。
【発明の開示】
【発明が解決しようとする課題】
【０００３】
しかしながら、近年は凶悪犯罪が多発しており、上記にように外部に接する開口部を開けたままにするのは不用心である。
それ故、本発明は、換気等のため上記開口部等を開けたままにしても、屋内等への人等の侵入を防止することができる侵入防止スクリーン装置を提供することを目的とする。
【課題を解決するための手段】
【０００４】
本発明は上記課題を解決するためになされたものであり、請求項１の発明は、丈夫な材料によって構成され、且つ通気性のある遮断部材と、前記遮断部材を開閉自在に支持する遮断部材支持手段と、前記遮断部材を閉鎖状態にロックするロック手段と、閉鎖状態の遮断部材が人の侵入を防止できるように前記遮断部材支持手段を室内に固定する固定手段とを具備することを特徴とする侵入防止スクリーン装置である。
【０００５】
請求項２の発明は、請求項１に記載した侵入防止スクリーン装置において、ロック手段によって閉鎖状態にロックされた遮断部材を開こうとする力が加えられたことを検知する検知手段と、前記検知手段によって遮断部材を開こうとする力が加えられたことが検知されると当該検知結果を報知する報知手段とを具備したことを特徴とする侵入防止スクリーン装置である。
【０００６】
請求項３の発明は、請求項１または２に記載した侵入防止スクリーン装置において、遮断部材は人が通り抜けることができない編み目の大きさのネットによって構成されていることを特徴とする侵入防止スクリーン装置である。
【０００７】
請求項４の発明は、請求項１から３のいずれかに記載した侵入防止スクリーン装置において、遮断部材を構成する丈夫な材料は高機能繊維であることを特徴とする侵入防止スクリーン装置である。
高機能繊維とは、耐熱性、不燃難燃性、耐薬品性、耐衝撃性、引張強度、引張剛性などに優れた繊維のことであり、合成繊維と無機繊維の各グループに分けると、以下の通りである。合成繊維に関しては商品名も付記しておく。
Ａ．合成繊維グループ
（１）パラ系アラミド：テクノーラ、ケブラー、トワロン
（２）ポリアリレート：ベクトラン
（３）超高重合度ポリエチレン：スペクトラ、ダイニーマ
（４）メタ系アラミド：コーネックス、ノーメックス
（５）ポリイミド：Ｐ８４
（６）ポリアミドイミド：カーメル
（７）ポリベンジイミダゾール：ＰＢＩ
（８）フェノール：カイソール
Ｂ．無機繊維グループ
（１）Ｅガラス
（２）Ｓガラス
（３）シリカ繊維
（４）炭素繊維
（５）鉛繊維
高機能繊維は全てが上記特性に優れているわけでなく、それぞれ特長があるため、本発明では、侵入防止スクリーン装置の設置場所に応じて、遮断部材として適切な高機能性繊維を選択することになる。
【発明の効果】
【０００８】
本発明の侵入防止スクリーン装置を備えれば、開口部等を開けたままの状態にできるので、不法侵入を防止しつつ十分な換気を行うことが可能となる。
【発明を実施するための最良の形態】
【０００９】
侵入防止スクリーン装置を通気機能と侵入防止機能を兼ね備えた構成とすることで、上記効果を達成する。
【実施例１】
【００１０】
本発明の実施例１に係る侵入防止スクリーン装置１を図１から図８にしたがって説明する。
符号３は、遮断部材としての高機能繊維製のネットを示し、このネット３は１５ｃｍ角程度の編み目の大きさになっている。即ち、この実施例では、遮断部材はカーテン状に使用できるようになっている。
ネット３の上下の端部は、上記と同じ高機能繊維製の帯状体５、７に強固に連結されている。上側の帯状体５には複数の支持部品８が固定されており、この支持部品８の軸９は帯状体５の長手方向へ等間隔に配置されている。支持部品８は軸９と、この軸９の上端部に回転自在に支持されたコロ１１とによって構成されている。
【００１１】
また、ネット３の左端部はアルミニウム合金製の連結バー１３に連結されており、この連結バー１３は上下方向へ長い板状で表裏面のほぼ中央に取っ手１５が設けられている。
さらに、連結バー１３の左側面の上端部と下端部にはロックピン１７がそれぞれ設けられており、一対のロックピン１７は連結バー１３の左側面から突出している。また、ロックピン１７は丸棒状で、上下方向へ貫通する丸穴１９が形成されている。
【００１２】
符号２１は遮断部材支持手段としての支持体を示し、この支持体２１はアルミニウム合金製の左支柱２３、右支柱２５及びレール２７とによって構成されている。レール２７の両端は左右の支柱２３、２５の上端部に固定されている。
図３に示すように、レール２７はＣ型鋼であり、下面に長手方向へ延びる開口２９が設けられている。レール２７の開口２９には、支持部品８の軸９が挿入され、レール２７にはコロ１１が動作自在に収容されている。また、ネット３の右端部は右支柱２５に対し強固に取り付けられている。従って、取っ手１５を右方向に引くと、ネット３は、図４に示すように開くようになっている。
【００１３】
左支柱２３の右側面には２つの矩形の穴３０が形成されており、２つの矩形穴３０は上下の端部にそれぞれ配置されている。図５〜図７に詳細に示すように、左支柱２３は中空になっており、アクチュエータ３１及びリミットスイッチ３３が備えられている。アクチュエータ３１及びリミットスイッチ３３は、左支柱２３の２つの穴３０にそれぞれに対応して二組備えられているが、二組のアクチュエータ３１及びリミットスイッチ３３は同一の構造を有しているので、左支柱２３の上端部に備えられているものを代表例として説明し、左支柱２３の下端部に備えられているアクチュエータ３１及びリミットスイッチ３３は、その説明を省略する。
【００１４】
アクチュエータ３１は丸棒状のシャフト３５を備えており、このシャフト３５の直径はロックピン１７の丸穴１９の直径より一回り小さい。アクチュエータ３１が作動すると、シャフト３５は上下方向に進退動作をする。
リミットスイッチ３３は弾性アーム３７を有しており、この弾性アーム３７はリミットスイッチ３３をＯＦＦにする方向に付勢されている。後述するように左支柱２３の右側面の矩形の穴３０内にロックピン１７が進入して弾性アーム３７が押下されると、リミットスイッチ３３がＯＮになる。
【００１５】
取っ手１５を持ち、左方向へ引くことによってネット３が閉じられ、図５の矢印に示すように、左支柱２３の右側面の矩形の穴３０内にロックピン１７が進入する。
ネット３が完全に閉じられると、図６に示すように、連結バー１３が左支柱２３に当接する。この状態では、ロックピン１７がリミットスイッチ３３の弾性アーム３７を押下しているので、リミットスイッチ３３がＯＮになっている。
また、ロックピン１７の丸穴１９がシャフト３５に対応する位置にきている。従って、アクチュエータ３１を作動させてシャフト３５を矢印方向に進行させると、シャフト３５は丸穴１９を貫通し、ネット３は閉鎖状態にロックされる。このシャフト３５が丸穴１９を貫通した状態において、ロックピン１７は丸穴１９とのクリアランス３６分だけ動くことができる。
上記したように、ロック手段は、ロックピン１７、丸穴１９、アクチュエータ３１およびシャフト３５により構成されている。
【００１６】
閉鎖状態にロックされたネット３を開こうとする力（矢印方向）が加えられると、図７に示すように、ロックピン１７はクリアランス３６分だけ後退する。この状態では、リミットスイッチ３３はＯＦＦになる。
【００１７】
侵入防止スクリーン装置１の制御系を説明する。
符号４３はリモコンを示し、このリモコン４３からの信号は図示しない無線受信部が受信するよう構成されている。図示しない制御部がアクチュエータ３１、リミットスイッチ３３、無線受信部および図示しない音声（エラー音、警報）発生器を制御している。即ち、制御部がリモコン４３からの施錠／解錠信号やリミットスイッチ３３からのＯＮ／ＯＦＦ情報を受取り、アクチュエータ３１や音声発生器の操作指令を出力するように構成されている。
リモコン４３と無線受信部とアクチュエータ３１とシャフト３５とによって電気錠が構成されている。
リミットスイッチ３３によって検知手段が構成されている。また、警報発生器によって報知手段が構成されている。
【００１８】
符号３９は長方形のプレートを示し、このプレート３９には２つのネジ穴が形成されている。符号４１はネジを示す。図１に示すように、４枚のプレート３９を左右の支柱２３、２５と室内の壁４２にまたがるように当ててネジ４１を用いてネジ止めすることで支持体２１を室内に固定する。プレート３９とネジ４１とによって固定手段が構成されている。
【００１９】
次に、侵入防止スクリーン装置１の動作を、図８のフローチャートにしたがって説明する。
ネット３の開閉は、上記したように取っ手１５を持って手動で行う。
リモコン４３の施錠釦を押下すると、リモコン４３より施錠信号が無線受信部に向けて送出される。制御部は無線受信部から施錠信号を受取ると、更に確認のためにリミットスイッチ３３のＯＮ／ＯＦＦ情報を受取る。
リミットスイッチ３３がＯＮの場合とは、図６に示すようにリミットスイッチ３３の弾性アーム３７が押下されて、ロックピン１７の丸穴１９がシャフト３５に対向する位置にある場合のことである。ＯＮ情報を受取ると、制御部は施錠指令をアクチュエータ３１に発する。すると、シャフト３５は上方向に進行し、丸穴１９を貫通するので、電気鍵が施錠されたことになる。
【００２０】
リミットスイッチ３３がＯＦＦの場合とは、図５や図７に示すように、ネット３が完全に閉じられていない、即ち連結バー１３の左側面が左支柱２３に当接していない場合のことである。ＯＦＦ情報を受取ると、制御部はエラー音発生器を動作させてエラー音を発生させる。家人がネット３を不完全に閉じたときには、ネット３を完全に閉じた後、上記施錠操作を再度行うことで、電気鍵を施錠することができる。
このように、制御部はリミットスイッチ３３のＯＮ／ＯＦＦ情報を確認した後にアクチュエータ３１を作動させるので、家人は確実に施錠することができる。
【００２１】
リモコン４３の解錠釦を押下すると、リモコン４３より解錠信号が無線受信部に向けて送出される。制御部は無線受信部から解錠信号を受取ると、解錠指令をアクチュエータ３１に発する。すると、シャフト３５は下方向に退行して、丸穴１９からシャフト３５が抜け出すので、電気鍵が解錠されたことになる。
また、制御部は警報が発生中か否かを確認して、発生中の場合には警報を停止させる。家人が電気鍵を解錠する前に誤ってネット３を開こうとした場合にも、後述するように警報が発生するが、上記解錠操作を行うことで警報を停止できる。
【００２２】
電気鍵が施錠中に、リミットスイッチ３３がＯＦＦになると、制御部は警報発生器を動作させて警報を発生させる。リミットスイッチ３３がＯＦＦの場合とは、図７に示すように、ネット３が開く方向に力が加えられることにより、クリアランス３６分だけロックピン１７が右方向に移動して、リミットスイッチ３３の弾性アーム３７の押下状態が解除された場合のことである。
従って、室内にいる家人が、人等が侵入防止スクリーン装置１を無理やり突破して侵入しようとしているのを察知できる。
【００２３】
以上より、侵入防止スクリーン装置１によれば、ネット３は丈夫な材料によって構成されているので破るのは容易ではない。また、無理やり解錠しようとすると、警報を発生する。従って、玄関ドア４４の内側に侵入防止スクリーン装置１を設置して動作状態におけば、換気等のために玄関ドア４４を開けたままの状態にしても安心である。
【実施例２】
【００２４】
本発明の実施例２に係る侵入防止スクリーン装置４５を図９にしたがって説明する。
なお、説明は実施例１の侵入防止スクリーン装置１との相違点についてのみ行い、その他の部位に関しては侵入防止スクリーン装置１の対応する部位に付した符号と同じ符号を付することで説明を省略する。
侵入防止スクリーン装置４５では、遮断部材としてのネット３が上下方向に開閉できるようになっている。従って、遮断部材支持手段としての支持体４７はアルミニウム合金製の左レール４９、右レール５１及び連結柱５３とによって構成されている。左レール４９と右レール５１の上端が連結柱５３に固定されている。
図示しないが、実施例１と同様にプレート３９とネジ４１を用いて、左レール４９および右レール５１を壁に固定することで、支持体４７を室内に固定する。
【００２５】
図９の右側断面図に示すように、左レール４９と右レール５１は侵入防止スクリーン装置１のレール２７と同様に構成されており、各レール４９，５１には複数のコロ１１が動作自在に収容されている。
連結柱５３にはネット３の巻取りローラー５５が収容されており、ネット３の上端部は巻取りローラー５５に固定されている。一方、ネット３の下端部はアルミニウム合金製の連結バー１３に連結されている。連結バー１３には、取っ手１５とロックピン１７が設けられている。
アクチュエータ３１とリミットスイッチ３３は床内５７に設置されている。
【００２６】
玄関ドアの内側に侵入防止スクリーン装置４５を設けて動作状態におけば、換気等のため玄関ドアを開けたままの状態にしても人が侵入できないので、安心である。
また、使用しないときには、ネット３を巻取りローラー５５に巻き取っておけるので通行の邪魔になることもない。
【００２７】
以上、本発明の実施例について詳述してきたが、具体的構成は、この実施例に限られるものではなく、本発明の要旨を逸脱しない範囲における設計の変更などがあっても発明に含まれる。
例えば、実施例１ではレールを上側にのみ設けているが、上下に設けても良い。また、遮断部材の開閉方式としては、スライド方式も考えられる。
また、遮断部材は、ブラインド状に構成することも考えられる。
侵入防止スクリーン装置を警備会社のコンピュータ等と接続しておき、施錠中に遮断部材を開こうとする力が加えられたことが検知されると、制御部が警備会社等に通報する報知手段を備えた構成にしてもよい。
【図面の簡単な説明】
【００２８】
【図１】本発明の実施例１に係る侵入防止スクリーン装置の斜視図である。
【図２】図１の侵入防止スクリーン装置の使用方法を説明する図である。
【図３】図２の一部拡大平面図である。
【図４】図１の侵入防止スクリーン装置の使用方法を説明する図である。
【図５】図１の侵入防止スクリーン装置に備えられたロック手段と検知手段の動作を説明する図である。
【図６】図１の侵入防止スクリーン装置に備えられたロック手段と検知手段の動作を説明する図である。
【図７】図１の侵入防止スクリーン装置に備えられたロック手段と検知手段の動作を説明する図である。
【図８】図１の侵入防止スクリーン装置の動作を説明するフローチャートである。
【図９】本発明の実施例２に係る侵入防止スクリーン装置の平面図と断面図である。
【符号の説明】
【００２９】
１……侵入防止スクリーン装置
３……ネット  ５，７……帯状体  ８……支持部品  ９……軸  １１……コロ
１３……連結バー  １５……取っ手  １７……ロックピン  １９……丸穴
２１……支持体  ２３……左支柱  ２５……右支柱  ２７……レール
３１……アクチュエータ  ３３……リミットスイッチ  ３５……シャフト
３９……プレート  ４１……ネジ  ４３……リモコン  ４４……玄関ドア
４５……侵入防止スクリーン装置
４７……支持体  ４９……左レール  ５１……右レール  ５３……連結柱
５５……巻取りローラー
【図１】
2005061009.tif 000003
【図２】
2005061009.tif 000004
【図３】
2005061009.tif 000005
【図４】
2005061009.tif 000006
【図５】
2005061009.tif 000007
【図６】
2005061009.tif 000008
【図７】
2005061009.tif 000009
【図８】
2005061009.tif 000010
【図９】
2005061009.tif 000011